(57)【要約】【課題】高さ調整時の利便性を向上できる調整足を提供する。【解決手段】床面Ｆに接地される接地部１２０と、冷蔵庫本体（機器本体）１１の底部に設けられる支持部（支持板）３２と、支持部３２と接地部１２０の一方に設けられて上下に延びる雄ネジ部１３０と、支持部３２と接地部１２０の他方に配して雄ネジ部１３０に螺合する雌ネジ部３２ａと、雄ネジ部１３０が挿通される挿通孔（第１挿通孔）１１２ａを有して支持部３２と接地部１２０との間に配されるとともに冷蔵庫本体１１の外面側に立設する前壁部１１１を有したカバー部１１０とを備え、支持部３２に対してカバー部１１０の回転が防止されるとともに、接地部１２０がカバー部１１０に回転可能に配される。【選択図】図４
2018100806.tif 000002
【特許請求の範囲】
【請求項１】
機器本体の底部に設置されて機器本体の床面からの高さを調節可能とする調整足において、
床面に接地される接地部と、前記機器本体の底部に設けられる支持部と、前記支持部と前記接地部の一方に設けられて上下に延びる雄ネジ部と、前記支持部と前記接地部の他方に配して前記雄ネジ部に螺合する雌ネジ部と、前記雄ネジ部が挿通される第１挿通孔を有して前記支持部と前記接地部との間に配されるとともに前記機器本体の外面側に立設する前壁部を有したカバー部とを備え、前記支持部に対して前記カバー部の回転が防止されるとともに、前記接地部が前記カバー部に回転可能に配されることを特徴とする調整足。
【請求項２】
前記接地部と前記カバー部の一方に設けられる環状の溝部と、前記接地部と前記カバー部の他方に設けられて前記溝部に係合する係合爪とを備えたことを特徴とする請求項１に記載の調整足。
【請求項３】
前記カバー部及び前記接地部の外周面が同径の円筒面から成ることを特徴とする請求項１又は請求項２に記載の調整足。
【請求項４】
前記カバー部が前記支持部の上面に対向する上壁部を有することを特徴とする請求項１〜請求項３のいずれかに記載の調整足。
【請求項５】
前記雄ネジ部が前記接地部に設けられ、前記雄ネジ部が挿通される第２挿通孔を前記上壁部に設けたことを特徴とする請求項４に記載の調整足。
【請求項６】
前記カバー部に対する前記機器本体の上下方向の移動量を示す目盛りが前記前壁部の外周面に設けられていることを特徴とする請求項１〜請求項５のいずれかに記載の調整足。
【請求項７】
請求項１〜請求項６のいずれかに記載の調整足と、前記機器本体の前面を開閉する扉とを備え、前記カバー部及び前記接地部が前記扉の鉛直下方に配されることを特徴とする冷蔵庫。
【発明の詳細な説明】
【技術分野】
【０００１】
本発明は、調整足及びそれを備える冷蔵庫に関する。
【背景技術】
【０００２】
従来の調整足は特許文献１及び特許文献２に開示されている。これらの調整足は床面に接地される接地部と接地部から上方に延びる雄ネジ部とを備える。また、接地部又は雄ネジ部の前部はカバーにより覆われている。機器本体の下面に設けられた雌ネジ部に雄ネジ部を螺合して接地部を回転して高さ調整を行うことができる。
【０００３】
このとき、接地部及び雄ネジ部の前部をカバーで覆うことにより、調整足の前部の美観を向上させることができる。
【先行技術文献】
【特許文献】
【０００４】
【特許文献１】特開２０１５−３１４５９号公報
【特許文献２】実開昭６０−１９３１４２号公報
【発明の概要】
【発明が解決しようとする課題】
【０００５】
上記従来の調整足によると、調整足の高さ調整時に、一旦カバーを取り外して接地部を回転させるため利便性が悪くなる問題があった。
【０００６】
本発明は、高さ調整時の利便性を向上できる調整足及びそれらを備えた冷蔵庫を提供することを目的とする。
【課題を解決するための手段】
【０００７】
上記目的を達成するために本発明は、機器本体の底部に設置されて機器本体の床面からの高さを調節可能とする調整足において、
床面に接地される接地部と、前記機器本体の底部に設けられる支持部と、前記支持部と前記接地部の一方に設けられて上下に延びる雄ネジ部と、前記支持部と前記接地部の他方に配して前記雄ネジ部に螺合する雌ネジ部と、前記雄ネジ部が挿通される第１挿通孔を有して前記支持部と前記接地部との間に配されるとともに前記機器本体の外面側に立設する前壁部を有したカバー部とを備え、前記支持部に対して前記カバー部の回転が防止されるとともに、前記接地部が前記カバー部に回転可能に配されることを特徴としている。
【０００８】
この構成によると、接地部を回転させて機器本体の高さが調整される。この時、接地部に装着されたカバー部は接地部に追従して回転しない。
【０００９】
また、本発明は、上記構成の調整足において、前記接地部と前記カバー部の一方に設けられる環状の溝部と、前記接地部と前記カバー部の他方に設けられて前記溝部に係合する係合爪とを備えたことが好ましい。
【００１０】
また、本発明は、上記構成の調整足において、前記カバー部及び前記接地部の外周面が同径の円筒面から成ることが好ましい。
【００１１】
また、本発明は、上記構成の調整足において、前記カバー部が前記支持部の上面に対向する上壁部を有することが好ましい。
【００１２】
また、本発明は、上記構成の調整足おいて、前記雄ネジ部が挿通される第２挿通孔を前記上壁部に設けたことが好ましい。
【００１３】
また、本発明は、上記構成の調整足において、前記カバー部に対する前記機器本体の上下方向の移動量を示す目盛りが前記前壁部の外周面に設けられていることが好ましい。
【００１４】
また、本発明は、上記構成の調整足を備えた冷蔵庫において、前記機器本体の前面を開閉する扉とを備え、前記カバー部及び前記接地部が前記扉の鉛直下方に配されることが好ましい。
【発明の効果】
【００１５】
本発明によると、接地部が前壁部を有するカバー部に回転可能に配されるので、カバー部を接地部に装着させた状態で接地部を回転させて機器本体の高さを調整することができる。このため、高さ調整時の利便性が向上する。また、カバー部が接地部と支持部との隙間を覆うため、調整足の美観が向上する。
【図面の簡単な説明】
【００１６】
【図１】本発明の第１実施形態に係る冷蔵庫の正面図。
【図２】本発明の第１実施形態に係る冷蔵庫の側面図。
【図３】本発明の第１実施形態に係る冷蔵庫の調整足の斜視図。
【図４】本発明の第１実施形態に係る冷蔵庫の底部を示す側面断面図。
【図５】本発明の第１実施形態に係る冷蔵庫の底部を示す側面断面図。
【図６】本発明の第２実施形態に係る冷蔵庫の調整足の斜視図。
【図７】本発明の第２実施形態に係る冷蔵庫の底部を示す側面断面図。
【図８】本発明の第２実施形態に係る冷蔵庫の底部を示す側面断面図。
【図９】本発明の第２実施形態に係る冷蔵庫の底部を示す側面断面図。
【図１０】本発明の第３実施形態に係る冷蔵庫の調整足の斜視図。
【図１１】本発明の第４実施形態に係る冷蔵庫の底部を示す側面断面図。
【図１２】本発明の第５実施形態に係る冷蔵庫の底部を示す側面断面図。
【発明を実施するための形態】
【００１７】
＜第１実施形態＞
以下に図面を参照して本発明の実施形態を説明する。図１は第１実施形態に係る冷蔵庫１の正面図であり、図２は冷蔵庫１の側面図である。なお、冷蔵庫１の前方をＹ１方向、後方をＹ２方向とする。
【００１８】
冷蔵庫１は断熱箱体１５を有した冷蔵庫本体１１を備えている。冷蔵庫本体１１の後部は脚部１０１により支持され、前部は高さ調整可能な調整足１００により支持される。断熱箱体１５は内箱１２と内箱１２の外側を覆う外箱１３との間に発泡断熱材（不図示）を充填して形成される。
【００１９】
冷蔵庫本体１１の上段には冷凍室２が配され、下段には冷蔵室３が配される。冷凍室２の前面は扉２２により開閉され、冷蔵室３の前面は扉２３により開閉される。
【００２０】
冷蔵庫本体１１の後方下部には機械室１４が設けられる。機械室１４は断熱箱体１５の外部に配され、圧縮機４０を内装している。圧縮機４０と熱交換器（不図示）を含む冷凍サイクルが冷気を生成し、ダクト（不図示）を通じて冷凍室２及び冷蔵室３に冷気を分配する。これにより、各室において必要とされる冷蔵温度または冷凍温度が得られる。
【００２１】
冷蔵庫本体１１の底部には圧縮機４０を支持する底板２０が配置されている。底板２０の後部には脚部１０１が設けられている。なお、冷蔵庫１を容易に移動させるために脚部１０１を車輪にしてもよい。
【００２２】
図３は調整足１００の斜視図であり、図４、５は冷蔵庫１の底部を拡大して示す側面断面図である。調整足１００は支持板（支持部）３２と接地部１２０とカバー部１１０とを備え、冷蔵庫本体１１の床面Ｆからの高さを調整することができる。支持板３２は冷蔵庫１の底板２０（図１参照）に取り付けられ、冷蔵庫本体１１の前面より前方（Ｙ１方向）に突出している。
【００２３】
支持板３２の前部には雌ネジ部３２ａが設けられており、雌ネジ部３２ａに接地部１２０に設けた雄ネジ部１３０が螺合する。調整足１００は扉２３の鉛直下方に配され、調整足１００の接地部１２０を回転して冷蔵庫本体１１の高さを調整することができる。
【００２４】
接地部１２０は円柱状であり、床面Ｆに接地される。接地部１２０の上面の中央部は下方に凹んで凹部１２１が形成されている。凹部１２１の内周面には環状の溝部１２２が形成されている。また、凹部１２１の底面中央部には上方に延びる雄ネジ部１３０が設けられている。
【００２５】
カバー部１１０は接地部１２０の上面を覆う底壁部１１２を有し、底壁部１１２には雄ネジ部１３０が挿通される挿通孔（第１挿通孔）１１２ａが開口している。また、底壁部１１２の下面には下方に延びる係合爪１１３が周方向の複数箇所に設けられている。係合爪１１３は溝部１２２に係合し、接地部１２０はカバー部１１０に回転可能に支持されている。
【００２６】
係合爪１１３と溝部１２２との係合により、カバー部１１０が接地部１２０からずれてカバー部１１０と接地部１２０との間に上下方向の隙間が生じるのを防止することができる。
【００２７】
なお、係合爪１１３と溝部１２２を省いてもよい。この場合、雄ネジ部１３０が挿通孔１１２ａに挿通しており、カバー部１１０が接地部１２０に対して水平方向にずれるのは防止される。また、カバー部１１０の自重によりカバー部１１０と接地部１２０との上下方向の隙間は生じ難い。
【００２８】
カバー部１１０の底壁部１１２の上面には半円筒状の前壁部１１１が起立している。前壁部１１１を含むカバー部１１０の外周面は接地部１２０と同径の円筒面に形成されている。これにより、カバー部１１０と接地部１２０の外周面は面一となり、調整足１００の美観が向上する。なお、高さ調整の前後でカバー部１１０は変形しない。このため、カバー部１１０と接地部１２０の外周面は常に面一であり、調整足１００の外形寸法が大きくなることはない。
【００２９】
また、前壁部１１１の背面側は開口しており孔部１１１ａが形成され、孔部１１１ａに支持板３２が嵌合する。これにより、支持板３２に対してカバー部１１０の回転が防止される。
【００３０】
図４、図５に示すように、孔部１１１ａに支持板３２を嵌合した状態で、接地部１２０を回転させることにより、支持板３２に対して接地部１２０が上下に移動する。つまり、接地部１２０を螺合方向に回転させると調整足１００の高さが低くなり、接地部１２０を螺脱方向に回転させると調整足１００の高さが高くなる。
【００３１】
接地部１２０の回転時、カバー部１１０は支持板３２によって係止されて接地部１２０に追従して回転しない。このため、カバー部１１０を接地部１２０に装着させた状態で接地部１２０を回転させて冷蔵庫本体１１の高さを調整することができる。従って、高さ調整時の利便性が向上する。
【００３２】
また、カバー部１１０の前壁部１１１が冷蔵庫本体１１の外面側に立設して支持板３２の前面を覆って冷蔵庫１の美観が向上する。また、高さを調整しても接地部１２０及び前壁部１１１の間隔及び上下方向の長さが変化しないため、調整足１００の外観を保持して冷蔵庫１の美観を保つことができる。この時、調整足１００が扉２３の鉛直下方に配されるため、高さ調整による調整足２３と扉２３との隙間が変化しても上方から視認されにくく、冷蔵庫１の美観低下を防止することができる。
【００３３】
本実施形態によると、床面Ｆに接地される接地部１２０と、接地部１２０に設けられて上下に延びる雄ネジ部１３０と、冷蔵庫本体（機器本体）１１に配して雄ネジ部１３０に螺合する雌ネジ部３２ａと、雄ネジ部１３０が挿通される挿通孔（第１挿通孔）１１２ａを有して冷蔵庫本体１１と接地部１２０との間に配されるとともに冷蔵庫本体１１の前面を覆う前壁部１１１を有したカバー部１１０とを備え、冷蔵庫本体１１に対してカバー部１１０の回転が防止されるとともに、接地部１２０がカバー部１１０に回転可能に配される。
【００３４】
これにより、カバー部１１０を接地部１２０に装着させた状態で接地部１２０を回転させて冷蔵庫本体１１の高さを調整することができるため高さ調整時の利便性が向上する。  
【００３５】
また、カバー部１１０の前壁部１１１が冷蔵庫本体１１の一部である支持板３２の前面を覆って冷蔵庫１の美観が向上する。また、高さを調整しても接地部１２０及び前壁部１１１の間隔及び上下方向の長さが変化しないため、調整足１００の外観を保持して冷蔵庫１の美観を保つことができる。
【００３６】
また、接地部１２０に設けられる環状の溝部１２２と、カバー部１１０に設けられて溝部１２２に係合する係合爪１１３とを備えることにより、接地部１２０がカバー部１１０に支持される。これにより、接地部１２０を回転させたときにカバー部１１０が接地部１２０からずれてカバー部１１０と接地部１２０との間に上下方向の隙間が生じるのを防止して冷蔵庫１の美観をより向上することができる。
【００３７】
また、カバー部１１０及び接地部１２０の外周面が同径の円筒面から成ることにより、これにより、カバー部１１０と接地部１２０の外周面は面一となり、冷蔵庫１の美観を向上することができる。また、高さ調整の前後でカバー部１１０は変形しない。このため、カバー部１１０と接地部１２０の外周面は常に面一であり、調整足１００の外形寸法が大きくなることはない。
【００３８】
また、冷蔵庫本体１１が前方（Ｙ１方向）に突出し、雌ネジ部３２ａが設けられる支持板３２を有し、カバー部１１０が支持板３２に嵌合する孔部１１１ａを周面に有する。これにより、調整足１００を冷蔵庫本体１１の前方（Ｙ１方向）に配することができ、冷蔵庫１の前後方向（Ｙ１-Ｙ２方向）が調整足１００により安定して支持される。また、支持板３２に対してカバー部１１０の回転が防止される。
【００３９】
＜第２実施形態＞
図６は第２実施形態に係る冷蔵庫１の調整足１００の斜視図であり、図７〜９は冷蔵庫１の底部を拡大して示す側面断面図であり、調整足１００の取付け方法を示している。説明の便宜上、第１実施形態と同様の部分には同一符号を付して説明を省略する。本実施形態はカバー部１１０の上部に上壁部１１６設けられ、上壁部１１６が支持板３２の上面に対向する。その他の部分は第１実施形態と同様である。
【００４０】
上壁部１１６には挿通孔（第２挿通孔）１１６ａが開口し、挿通孔１１６ａには雄ネジ部１３０の上端部が挿通する。
【００４１】
図７に示すように、挿通孔１１６ａと雌ネジ部３２ａを一致させて上壁部１１６を支持板３２の上面に当接させた状態で雄ネジ部１３０を雌ネジ部３２ａに螺合する。
【００４２】
図８に示すように、接地部１２０を螺合方向に回転し続けると、雄ネジ部１３０の上端部が上壁部１１６に設けられた挿通孔（第２挿通孔）１１６ａに挿通する。このとき、凹部１２１に係合爪１１３が挿入されて係合爪１１３が溝部１２２に係合する。係合爪１１３が溝部１２２に係合したときに接地部１２０にカバー部１１０が装着される。
【００４３】
接地部１２０にカバー部１１０を装着後に、螺合方向又は螺脱方向に接地部１２０を回転させることにより、カバー部１１０を装着し状態の接地部１２０が支持板３２に対して上下に移動する。
【００４４】
また、図９に示すように、接地部１２０にカバー部１１０を装着後に、螺脱方向に接地部１２０を回転すると上壁部１１６が支持板３２の上面に当接する。更に接地部１２０を螺脱方向に回転すると溝部１２２と係合爪１１３との係合が外れる。
【００４５】
このとき、溝部１２２と係合爪１１３との係合が外れる際に必要な応力が発生するので、使用者が接地部１２０を回転するときに引っ掛かりが生じる。このため、溝部１２２と係合爪１１３との係合が外れると接地部１２０がカバー部１１０から脱離して雄ネジ部１３０が雌ネジ部３２ａから外れる回転位置に接地部１２０があることに使用者は気付く。従って、高さ調整時に調整足１００が冷蔵庫本体１１から誤って脱離するのを防止することができる。
【００４６】
本実施形態によると、カバー部１１０が支持板３２の上面に対向する上壁部１１６を有することにより、雄ネジ部１３０の上方を覆って冷蔵庫１の美観が向上する。また、支持板３２から上方に突出した雄ネジ部１３０の上端部は上壁部１１６に覆われる。これにより、雄ネジ部１３０の上端部が露出することを防止して安全性を向上することができる。さらに、カバー部１１０の底壁部１１２に設けた挿通孔（第１挿通孔）１１２ａと上壁部１１６に設けた挿通孔（第２挿通孔）１１６ａとが、雄ネジ部１３０を支持する軸受けとして機能せることにより、雄ネジ部１３０と雌ネジ部３２ａとの螺合部を補強することができる。
【００４７】
また、上壁部１１６に雄ネジ部１３０が挿通される挿通孔１１６ａを形成することにより、螺脱方向に接地部１２０を回転して接地部１２０がカバー部１１０から脱離したときに、使用者は雄ネジ部１３０が雌ネジ部３２ａから外れる回転位置に接地部１２０があることに気付く。従って、高さ調整時に調整足１００が冷蔵庫本体１１から誤って脱離するのを防止することができる。
【００４８】
＜第３実施形態＞
図１０は第３実施形態に係る冷蔵庫１の底部を拡大して示す側面断面図である。説明の便宜上、第１実施形態と同様の部分には同一符号を付して説明を省略する。本実施形態は前壁部１１１の周面に目盛り１１１ｂが付されている。その他の部分は第１実施形態と同様である。
【００４９】
目盛り１１１ｂはカバー部１１０に対する支持板３２の上下方向の移動量を示す。これにより、支持板３２の上下方向の移動量を確認しながら調整足１００の高さ調整を行うことができ、高さ調整時の利便性が向上する。
【００５０】
＜第４実施形態＞
図１１は第４実施形態に係る冷蔵庫１の底部を拡大して示す側面断面図である。説明の便宜上、第１実施形態と同様の部分には同一符号を付して説明を省略する。本実施形態は接地部１２０に設けられた係合爪１２３とカバー部１１０に設けられた溝部１１５とが係合する。その他の部分は第１実施形態と同様である。
【００５１】
具体的には、底壁部１１２の下面から筒状の筒状部１１４が下方に突出し、筒状部１１４の内周面に環状の溝部１１５が設けられている。また、接地部１２０の上面から上方に延びる係合爪１２３が周方向に複数設けられている。係合爪１２３は溝部１１５に係合し、接地部１２０はカバー部１１０に回転可能に支持されている。これにより、第１実施形態と同様の効果を得ることができる。
【００５２】
＜第５実施形態＞
図１２は第５実施形態に係る冷蔵庫１の底部を拡大して示す側面断面図である。説明の便宜上、第１実施形態と同様の部分には同一符号を付して説明を省略する。本実施形態は冷蔵庫本体１１に設けられた雄ネジ部１３０と接地部１２０に設けられた雌ネジ部１２１ａが螺合する。その他の部分は第１実施形態と同様である。
【００５３】
具体的には、冷蔵庫本体１１の支持板３２の前部に下方に延びる雄ネジ部１３０が固定されている。また、凹部１２１の底面中央部に雌ネジ部１２１ａが設けられ、雌ネジ部１２１ａに雄ネジ部１３０が螺合する。これにより、第１実施形態と同様の効果を得ることができる。
【００５４】
なお、本発明は上述した各実施形態に限定されるものではなく、種々の変更が可能であり、異なる実施形態にそれぞれ開示された技術的手段を適宜組み合わせて得られる実施形態についても本発明の技術的範囲に含まれる。また、調整足１００を冷蔵庫本体１１以外の機器本体（例えば、洗濯機等）に取り付けてもよい。
【産業上の利用可能性】
【００５５】
本発明によると、調整足により機器本体が支持される冷蔵庫に利用することができる。
【符号の説明】
【００５６】
１                冷蔵庫
２                冷凍室
３                冷蔵室
１１              冷蔵庫本体
１２              内箱
１３              外箱
１４              機械室
１５              断熱箱体
２０              底板
２２、２３        扉
３２              支持板（支持部）
３２ａ            雌ネジ部
４０              圧縮機
１００            調整足
１０１            脚部
１１０            カバー部
１１１            前壁部
１１１ａ          孔部
１１１ｂ          目盛り
１１２            底壁部
１１２ａ          挿通孔（第１挿通孔）
１１３            係合爪
１１４            筒状部
１１５            溝部
１１６            上壁部
１１６ａ          挿通孔（第２挿通孔）
１２０            接地部
１２１            凹部
１２１ａ          雌ネジ部
１２２            溝部
１２３            係合爪
１３０            雄ネジ部
Ｆ                床面
【図１】
2018100806.tif 000003
【図２】
2018100806.tif 000004
【図３】
2018100806.tif 000005
【図４】
2018100806.tif 000006
【図５】
2018100806.tif 000007
【図６】
2018100806.tif 000008
【図７】
2018100806.tif 000009
【図８】
2018100806.tif 000010
【図９】
2018100806.tif 000011
【図１０】
2018100806.tif 000012
【図１１】
2018100806.tif 000013
【図１２】
2018100806.tif 000014